(57)【要約】  【課題】  ビューファインダの角度調節は、容易であるが、位置の変更についてはあまり自由度がない。また、薄型のディスプレイは、視野角が狭いために傾斜したビューファインダとして使用した場合、画像が見にくくなり、撮影画像の確認ができず、撮影者は、撮影に支障をきたす恐れが生じる。  【解決手段】  テレビジョンカメラ装置は、カメラヘッドと、上記カメラヘッドに装着されるビューファインダと、上記ビューファインダを上記カメラヘッドに装着する接続機構部および上記カメラヘッドに上記ビューファインダを装着するハンドルを有し、上記接続機構部は、可動自在の接続アームからなり、上記ビューファインダの支持部が上記接続アームの一端に結合され、上記接続アームの他端が上記ハンドルに結合されるように構成される。【選択図】  図１
2006060651.tif 000002
【特許請求の範囲】
【請求項１】
カメラヘッドと、上記カメラヘッドに装着されるビューファインダと、上記ビューファインダを上記カメラヘッドに装着する接続機構部および上記カメラヘッドに上記ビューファインダを装着するハンドルを有し、上記接続機構部は、可動自在の接続アームからなり、上記ビューファインダの支持部が上記接続アームの一端に結合され、上記接続アームの他端が上記ハンドルに結合されることを特徴とするテレビジョンカメラ装置。
【請求項２】
請求項１記載のテレビジョンカメラ装置において、上記ハンドルは、所定の長さの溝部を有し、上記接続アームの他端が上記溝部を適宜移動するように構成されていることを特徴とするテレビジョンカメラ装置。
【請求項３】
請求項１または２記載のテレビジョンカメラ装置において、上記接続アームと結合する上記ビューファインダの支持部との間および上記接続アームと結合する上記ハンドルの溝部との間にブレーキ材を挿入したことを特徴とするテレビジョンカメラ装置。
【発明の詳細な説明】
【技術分野】
【０００１】
本発明は、テレビジョンカメラ装置に関し、特に、カメラヘッドの撮影方向に対して適宜表示面の角度を調節できるビューファインダを具えたテレビジョンカメラ装置に関するものである。
【背景技術】
【０００２】
従来のテレビジョンカメラ装置（例えば、特許文献１参照）を図６を用いて説明する。例えば、スタジオ内でテレビ撮影を行なう場合、テレビジョンカメラヘッド６０１を三脚６０２に取り付けて撮影をする。この時に使用されるビューファインダ６０３は、通常、５形サイズのディスプレイが用いられる場合が多い。このビューファインダ６０３は、テレビジョンカメラヘッド６０１の上後部に半固定アダプタ６０４で取り付けられるため、一旦撮影者６０５が被写体６０６とテレビジョンカメラヘッド６０１との位置、角度および撮影者６０５の視線に基づいて、そのビューファインダの画面が操作者の正面になるよう調節し、テレビジョンカメラヘッド６０１の撮影画像をモニタするのが一般的である。
【０００３】
而して、テレビジョンカメラヘッド６０１は、被写体６０６を撮像する場合、被写体６０６が動いている場合あるいはテレビジョンカメラヘッド６０１の視野を移動しなければ撮影できない位置に位置する場合等があり、被写体６０６とテレビジョンカメラヘッド６０１との間の位置、角度を変更する場合が発生する。例えば、図７に示すように被写体７０１を撮像するのにテレビジョンカメラヘッド６０１を例えば、テレビジョンカメラヘッド６０１の光軸を３０度下方に傾斜させる必要がある。即ち、図６に示す状態から図７に示す状態に変化した場合、テレビジョンカメラヘッド６０１の撮像アングルが変化する。この場合、テレビジョンカメラヘッド６０１の角度および上下位置が変化して、ビューファインダ６０３の位置もテレビジョンカメラヘッド６０１、三脚６０２と同じ方向に移動する。そのため撮影者６０５から見たビューファインダ６０３の画面は、正面に向かなくなる。従って、撮影者６０５は、ビューファインダ６０３の画面全体を確認することが困難になり撮影しずらくなるという問題がある。同様に、被写体７０１が上方に移動した場合には、やはりテレビジョンカメラヘッド６０１の光軸を上方に傾斜（図示せず。）させる必要があり、同様な問題が発生する。
【０００４】
上述したビューファインダ６０３は、５形サイズのディスプレイとして説明したが、小型、軽量で、平面型のディスプレイとして例えば、液晶ディスプレイが最近良く利用されるようになってきている。図８は、平面ディスプレイを用いたビューファインダの一例を示している。なお、図８は、テレビジョンカメラヘッド６０１の一部のみが示されている。図８において、８０１は、テレビジョンカメラヘッド６０１に取付けられたハンドル、８０２は、平面型ディスプレイ（ビューファインダ６０３に対応する。）を示す。８０３は、平面型ディスプレイ８０２をハンドル８０１に取付けるためのビューファインダアダプタである。なお、８０４は、ビューファインダアダプタ８０３をハンドル８０１に取付けるためのアダプタ取付け部材で、溝部８０５を有している。そして、ビューファインダアダプタ８０３がアダプタ取付け部材８０４の溝部８０５に挿入され、ロック機構８０６で固定されるように構成されている。８０７は、回転レバーで、このレバー８０７を回転させ、緩めることで回転軸８０８を中心に平面型ディスプレイ８０２をチルトし撮影アングルに対応するようになっている。
【０００５】
しかしながら、ビューファインダアダプタは、ビューファインダの角度調節は、容易であるが、位置の変更についてはあまり自由度がない。また、平面型ディスプレイ、例えば液晶ディスプレイは、小型、軽量と言う特徴があるが、視野角が狭いためにビューファインダとして使用した場合、例えば、図７のような使用状況では、画像が見にくくなり、撮影画像の確認ができず、撮影者は、撮影に支障をきたす恐れが発生する。
【０００６】
【特許文献１】特開２０００−５９６５７号公報
【発明の開示】
【発明が解決しようとする課題】
【０００７】
前述の従来技術では、ビューファインダの角度調節は、容易であるが、位置の変更についてはあまり自由度がない。また、薄型のディスプレイは、視野角が狭いために傾斜したビューファインダとして使用した場合、画像が見にくくなり、撮影画像の確認ができず、撮影者は、撮影に支障をきたす恐れが発生する。
【０００８】
本発明の目的は、カメラヘッドの撮影方向に対して適宜表示面の角度を調節できるビューファインダを具えたテレビジョンカメラ装置を提供することである。
【０００９】
本発明の他の目的は、カメラヘッドの撮影方向の移動に対して常に撮影者が見易い表示画面となるような調節機能付ビューファインダを具えたテレビジョンカメラ装置を提供することである。
【００１０】
本発明の他の目的は、カメラヘッドの光軸に近くビューファンダーを配置できるテレビジョンカメラ装置を提供することである。
【課題を解決するための手段】
【００１１】
本発明のテレビジョンカメラ装置は、カメラヘッドと、上記カメラヘッドに装着されるビューファインダと、上記ビューファインダを上記カメラヘッドに装着する接続機構部および上記カメラヘッドに上記ビューファインダを装着するハンドルを有し、上記接続機構部は、可動自在の接続アームからなり、上記ビューファインダの支持部が上記接続アームの一端に結合され、上記接続アームの他端が上記ハンドルに結合されるように構成される。
【００１２】
また、本発明のテレビジョンカメラ装置において、上記ハンドルは、所定の長さの溝部を有し、上記接続アームの他端が上記溝部を適宜移動するように構成される。
【００１３】
また、本発明のテレビジョンカメラ装置において、上記接続アームと結合する上記ビューファインダの支持部との間および上記接続アームと結合する上記ハンドルの溝部との間にブレーキ材を挿入するように構成される。
【発明の効果】
【００１４】
以上説明したように本発明によれば、カメラヘッドの撮影方向に対して適宜ビューファインダの表示面の角度を調節でき、また、カメラヘッドの撮影方向の移動に対して常に撮影者が見易い表示画面となるようなビューファインダの取付け構造を実現した。更に、視野角が狭い液晶のようなビューファインダに好適な取付け構造を実現できる特徴がある。更に、カメラヘッドの光軸に近くビューファンダーを配置できるので、撮影画像が見やすいという特徴がある。
【発明を実施するための最良の形態】
【００１５】
以下本発明の一実施例を図面を用いて説明する。図１は、本発明の一実施例を説明するための概略構成図である。図１において、１０１は、カメラヘッド、１０２は、光学系を装着するための勘合部、１０３は、光学系の光軸を示す。なお、光学系は、省略してある。１０４は、被写体を示し、この被写体が光学系を介してカメラヘッド１０１で撮像されるようになっている。１０５は、カメラヘッド１０１を搭載する三脚であり、カメラヘッド１０１は、三脚１０５の固定台１０７に載置されている。そして、角度調節レバー１０６は、被写体１０４の動きや位置に応じてカメラヘッド１０１を適宜傾斜させるためのものである。
【００１６】
１０８は、カメラヘッド１０１を操作するためのボタン、スイッチ類が設けられている操作パネル、１０９は、カメラヘッド１０１に取付けられたハンドル、１１０は、ハンドル１０９に設けられた溝部を示す。１１１は、例えば、液晶ディスプレイのような平面型ディスプレイ装置（表示装置）であり、この平面型ディスプレイ装置は、接続機構部１１２でハンドル１０９の溝部１１０の上端部に固定される。
【００１７】
この接続機構部１１２は、撮影者１１３が平面型ディスプレイ装置１１１を見ながらカメラヘッド１０１を操作するのに便利なように平面型ディスプレイ装置１１１の位置、角度を調節できる機構を有している。即ち、撮影者１１３が平面型ディスプレイ装置１１１を見易いようにほぼ垂直（撮影者１１３の目線１１４にほぼ垂直）に配置できるように調節する機構を有し、また、接続機構部１１２は、ハンドル１０９の溝部１１０を適宜移動できるように構成されている。更に、平面型ディスプレイ装置１１１は、操作パネル１０８の面とほぼ同じ面内に位置するように位置合せが可能であり、撮影者１１３から平面型ディスプレイ装置１１１の表示面までの距離と、撮影者１１３から操作パネル１０８の面までの距離をほぼ等距離にできるので、ディスプレイ装置の表示面も、操作パネルの面も両方とも見やすくなる利点がある。
【００１８】
次に、接続機構部１１２の詳細について図２を用いて説明する。図２は、平面型ディスプレイ装置１１１を接続機構部１１２でハンドル１０９に固定した状態の平面図を示している。この接続機構部１１２は、接続アーム２０１と、接続アーム２０１の端部２０２をハンドル１０９の溝部１１０（図１に示す。）に固定するための締付けネジ２０６と、接続アーム２０１の他の端部２０３を平面型ディスプレイ装置１１１の支持部材２０５と接続する締付けネジ２０７とから構成されている。なお、接続アーム２０１の端部２０２とハンドル１０９との間には、ブレーキ材、例えば、ゴムやプラスチック等の弾性体２０４が挿入されている。同様に接続アーム２０１の他の端部２０３と支持部材２０５との間にもブレーキ材が挿入されている。従って、このブレーキ材２０４の作用により平面型ディスプレイ装置１１１の支持部材２０５と接続アーム２０１およびハンドル１０９との間で、適度な摩擦力を有し、平面型ディスプレイ装置１１１が適宜必要な位置と角度で固定できるように調整できるようになっている。なお、上記接続機構部１１２は、接続アーム２０１を１個用いる構成の接続機構部で説明したが必要に応じて２個あるいは３個用いることで、位置と傾斜角を更に任意に変更ができる特徴がある。また、締付けネジ２０６および２０７の締め付け部分にブレーキ材を使用しているので、平面型ディスプレイ装置１１１は、適当な位置で半固定される。従って、カメラヘッド１０１を移動したり、傾きを変更したい場合、その都度、締付けネジ２０６および２０７を緩めたり、締付けたりする必要はなく、平面型ディスプレイ装置１１１を、例えば、手動で動かすだけで撮影者の希望する姿勢（位置と角度）で止めることが可能である。
【００１９】
而して、カメラヘッド１０１は、被写体１０４を撮像する場合、被写体１０４が動いている場合あるいはカメラヘッド１０１の視野（または光軸１０３）を移動しなければ撮影できない位置に位置する場合等があり、被写体１０４とカメラヘッド１０１との間の位置、角度を変更する場合が発生する。このような場合、上述した構造の接続機構部１１２で平面型ディスプレイ装置１１１をカメラヘッド１０１に取付けられたハンドル１０９に固定すると、撮影者の希望する位置と角度に平面型ディスプレイ装置１１１を固定することができる。これについて以下に説明する。
【００２０】
図３は、例えば、カメラヘッド１０１が被写体１０４を撮像するのにカメラヘッド１０１の光軸１０３を３０度下方に傾斜させた場合を示している。なお、図１と同じものには同じ符号が付されている。この場合、通常であれば平面型ディスプレイ装置１１１は、例えば、図７に示すように表示面は、垂直に対して約３０度傾斜する。従って、撮影者の目線１１４に対して３０度傾斜するため、平面型ディスプレイ装置に表示される映像は、極めて見難いものとなる。しかしながら本発明の接続機構部１１２を用いることで、図３に示すようにカメラヘッド１０１の光軸が３０度傾いた場合でも、平面型ディスプレイ装置１１１の表示面は、撮影者の目線１１４に対して垂直になるように調節ができる。そのためには接続アーム２０１の端部２０２の固定位置を図３で示すようにハンドル１０９の溝部１１０を若干移動させ、また、平面型ディスプレイ装置１１１の支持部材２０５と接続アーム２０１を若干折り曲げることで位置調節が可能である。また、平面型ディスプレイ装置１１１を操作パネル１０８の面の近くに配置することも可能であるので、平面型ディスプレイ装置の表示画面を見ながら操作パネルの操作をすることができる。
【００２１】
同様に、図４は、カメラヘッド１０１が被写体１０４を撮像するのにカメラヘッド１０１の光軸１０３を３０度上方に傾斜させた場合を示している。なお、図１と同じものには同じ符号が付されている。この場合も通常であれば平面型ディスプレイ装置１１１は、垂直に対して約３０度傾斜する。従って、撮影者の目線１１４に対して３０度傾斜するため、平面型ディスプレイ装置に表示される映像は、極めて見難いものとなる。しかしながら本発明の接続機構部１１２を用いることで、図４に示すようにカメラヘッド１０１の光軸が３０度上方に傾いた場合でも、接続アーム２０１の端部２０２の固定位置を図４で示すようにハンドル１０９の溝部１１０の下方に移動させ、また、平面型ディスプレイ装置１１１の支持部材２０５と接続アーム２０１を適宜折り曲げることで位置調節が可能である。その結果、平面型ディスプレイ装置１１１の表示面は、撮影者の目線１１４に対してほぼ垂直になるように調節ができる。また、平面型ディスプレイ装置１１１を操作パネル１０８の面の近くに配置することも可能であるので、平面型ディスプレイ装置の表示画面を見ながら操作パネルの操作をすることができる。
【００２２】
なお、上述した実施例において、カメラヘッド１０１の角度を移動した場合、平面型ディスプレイ装置１１１もそれに応じて角度を、例えば、手動で変更する機構について説明した。しかしながら例えば、固定台１０７の傾きをセンサー等で検出し、この検出信号で接続機構部１１２をモータ等の駆動機構部で駆動し、平面型ディスプレイ装置１１１が目線１１４にほぼ垂直になるように自動的に調節するように構成することは容易に実施できることは言うまでもない。
【００２３】
更に、上述した接続機構部１１２を使用すると図５に示すように平面型ディスプレイ装置１１１の表示面をできるだけカメラヘッド１０１の光軸１０３に近づけることが可能になる。このように平面型ディスプレイ装置１１１の表示面を光軸１０３に近づけることで、撮影者１１３は、撮影者が自分の目で見ている視野範囲と、平面型ディスプレイ装置１１１の表示面に表示される映像とがほぼ一致させることができる。従って、撮影者は、自分の目で見ている視野範囲と表示面に表示される映像との間の違和感がなく、撮影に極めて好都合となる。
【００２４】
以上、本発明について詳細に説明したが、本発明は、ここに記載されたテレビジョンカメラ装置の実施例に限定されるものではなく、上記以外のテレビジョンカメラ装置に広く適応することが出来ることは、言うまでも無い。
【図面の簡単な説明】
【００２５】
【図１】本発明の一実施例を示す概略構成図である。
【図２】本発明の接続機構部の拡大図を示す。
【図３】本発明の一実施例の使用形態を説明するための図である。
【図４】本発明の一実施例の他の使用形態を説明するための図である。
【図５】本発明の一実施例の更に他の使用形態を説明するための図である。
【図６】従来のテレビジョンカメラ装置の概略構成を示す図である。
【図７】従来のテレビジョンカメラ装置の使用形態を説明するための図である。
【図８】従来の平面ディスプレイを用いたビューファインダの一例を示す図である。
【符号の説明】
【００２６】
１０１、６０１：カメラヘッド、１０２：光学系を装着するための勘合部、１０３：光学系の光軸、１０４、６０６、７０１：被写体、１０５、６０２：三脚、１０６：角度調節レバー、１０７：固定台、１０８：操作パネル、１０９：ハンドル、１１０：溝部、１１１：平面型ディスプレイ装置、１１２：接続機構部、１１３、６０５：撮影者、１１４：撮影者の目線、２０１：接続アーム、２０２、２０３：接続アームの端部、２０４：ブレーキ材、２０５：平面型ディスプレイ装置の支持部材、２０６、２０７：締付けネジ、６０３：ビューファインダ、６０４：半固定アダプタ。
【図１】
2006060651.tif 000003
【図２】
2006060651.tif 000004
【図３】
2006060651.tif 000005
【図４】
2006060651.tif 000006
【図５】
2006060651.tif 000007
【図６】
2006060651.tif 000008
【図７】
2006060651.tif 000009
【図８】
2006060651.tif 000010